(57)【要約】【課題】本発明は、携帯型電子装置によって監視作業を行うことができる監視システムを提供することを目的とする。【解決手段】本発明に係る監視システムは電子装置内で実行され、監視現場の監視データを生成する生成モジュールと、第一送信モジュールと、第一受信モジュールと、を備える。第一送信モジュールは、サーバに第一指令及び第二指令を送信し、サーバに監視データ記憶空間を確立させ且つサーバからユーザＩＤリストを獲得し、第一受信モジュールは、サーバから転送されたユーザＩＤリストを受信し、ユーザＩＤリストからユーザＩＤを選択し、第一送信モジュールは、選択されたユーザＩＤ及び監視データをサーバに転送し、サーバは、選択されたユーザＩＤ及び監視データを監視データ記憶空間に記憶し、第一受信モジュールは、サーバから転送された既読状態のユーザＩＤを受信する。【選択図】図１
2014217057.tif 000002
【特許請求の範囲】
【請求項１】
監視現場の監視データを生成する生成モジュールと、
第一送信モジュールと、
第一受信モジュールと、
を備えて、電子装置内で実行される監視システムであって、
前記第一送信モジュールは、サーバに第一指令及び第二指令を送信し、前記サーバに監視データ記憶空間を確立させ且つ前記サーバからユーザＩＤリストを獲得し、
前記第一受信モジュールは、前記サーバから転送されたユーザＩＤリストを受信し、前記ユーザＩＤリストからユーザＩＤを選択し、
前記第一送信モジュールは、前記選択されたユーザＩＤ及び監視データをサーバに転送し、
前記サーバは、前記選択されたユーザＩＤ及び監視データを前記監視データ記憶空間に記憶させ、
前記第一受信モジュールは、前記サーバから転送された既読状態のユーザＩＤを受信することを特徴とする監視システム。
【請求項２】
前記監視データは、前記電子装置が撮影した監視現場の画像、ビデオ、監視現場の位置情報、ユーザＩＤ、時間及び説明情報を含むことを特徴とする請求項１に記載の監視システム。
【請求項３】
前記監視データ記憶空間は、前記選択されたユーザＩＤを記憶するユーザＩＤフィールド、前記監視データを記憶する監視データフィールド及びユーザＩＤの状態情報が記憶されるユーザＩＤの状態情報フィールドを備えることを特徴とする請求項１又は２に記載の監視システム。
【請求項４】
前記ユーザＩＤの状態情報は、既読状態及び未読状態を含み、前記既読状態とは、ユーザが既に前記監視データを見たことを指し、前記未読状態とは、ユーザが前記監視データをまだ見ていないことを指すことを特徴とする請求項１から３の何れか一項に記載の監視システム。
【請求項５】
確立モジュールと、
第二受信モジュールと、
第二送信モジュールと、
更新モジュールと、
を備えて、サーバ内で実行される監視システムであって、
前記確立モジュールは、電子装置からの第一指令を受信し、データベースにおいて監視データ記憶空間を確立し、
前記第二受信モジュールは、前記電子装置からの第二指令を受信し、ユーザＩＤリストを前記電子装置に送信すると共に、前記電子装置からの監視データ及び選択されたユーザＩＤを受信し且つ前記監視データ記憶空間に記憶させ、
前記第二送信モジュールは、前記監視データを見るように選択された前記ユーザＩＤのユーザにプッシュ通知し、
前記更新モジュールは、前記ユーザＩＤのユーザが監視データを見ると、前記監視データ記憶空間において前記ユーザＩＤの状態情報を既読状態に更新し、
前記第二送信モジュールは、この既読状態のユーザＩＤを電子装置に送信することを特徴とする監視システム。
【請求項６】
前記監視データは、前記電子装置が撮影した監視現場の画像、ビデオ、監視現場の位置情報、ユーザＩＤ、時間及び説明情報を含むことを特徴とする請求項５に記載の監視システム。
【請求項７】
前記監視データ記憶空間は、前記選択されたユーザＩＤを記憶するユーザＩＤフィールド、前記監視データを記憶する監視データフィールド及び前記ユーザＩＤの状態情報が記憶されるユーザＩＤの状態情報フィールドを備えることを特徴とする請求項５又は６に記載の監視システム。
【請求項８】
前記ユーザＩＤの状態情報は、既読状態及び未読状態を含み、既読状態とは、ユーザが既に前記監視データを見たことを指し、未読状態とは、ユーザが前記監視データをまだ見ていないことを指すことを特徴とする請求項５から７の何れか一項に記載の監視システム。
【請求項９】
監視現場の監視データを生成するステップと、
サーバに第一指令を送信し、監視データ記憶空間を確立させるステップと、
前記サーバに第二指令を送信し、前記サーバからユーザＩＤリストを獲得するステップと、
前記サーバから送信されたユーザＩＤリストを受信し、前記ユーザＩＤリストからユーザＩＤを選択するステップと、
選択された前記ユーザＩＤ及び監視データをサーバに送信し、前記監視データ記憶空間に記憶させるステップと、
前記サーバから前記監視データを既読したユーザＩＤを受信するステップと、
を備え、電子装置内で実行されることを特徴とする監視方法。
【請求項１０】
前記監視データは、前記電子装置が撮影した監視現場の画像、ビデオ、監視現場の位置情報、ユーザＩＤ、時間及び説明情報を含むことを特徴とする請求項９に記載の監視方法。
【請求項１１】
前記監視データ記憶空間は、前記選択されたユーザＩＤを記憶するユーザＩＤフィールド、前記監視データを記憶する監視データフィールド及び前記ユーザＩＤの状態情報が記憶される前記ユーザＩＤの状態情報フィールドを備えることを特徴とする請求項９又は１０に記載の監視方法。
【請求項１２】
前記ユーザＩＤの状態情報は、既読状態及び未読状態を含み、前記既読状態とは、前記ユーザが既に監視データを見たことを指し、前記未読状態とは、前記ユーザが監視データをまだ見ていないことを指すことを特徴とする請求項９から１１の何れか一項に記載の監視方法。
【請求項１３】
電子装置から第一指令を受信し、データベースにおいて監視データ記憶空間を確立するステップと、
前記電子装置から第二指令を受信し、ユーザＩＤリストを前記電子装置に送信するステップと、
前記電子装置から監視データ及び選択されたユーザＩＤを受信し且つ前記監視データ記憶空間に記憶するステップと、
前記選択されたユーザＩＤにプッシュ通知し、前記監視データをみるように選択されたユーザＩＤに通知するステップと、
前記ユーザＩＤのユーザが監視データを見ると、前記監視データ記憶空間において前記ユーザＩＤの状態情報を既読状態に更新するステップと、
前記既読状態のユーザＩＤを電子装置に送信するステップと、
を備え、サーバ内で実行されることを特徴とする監視方法。
【請求項１４】
前記監視データは、前記電子装置が撮影した監視現場の画像、ビデオ、監視現場の位置情報、ユーザＩＤ、時間及び説明情報を含むことを特徴とする請求項１３に記載の監視方法。
【請求項１５】
前記監視データ記憶空間は、前記選択されたユーザＩＤを記憶する前記ユーザＩＤフィールド、前記監視データを記憶する監視データフィールド及び前記ユーザＩＤの状態情報が記憶される前記ユーザＩＤの状態情報フィールドを備えることを特徴とする請求項１３又は１４に記載の監視方法。
【請求項１６】
前記ユーザＩＤの状態情報は、前記既読状態及び未読状態を含み、前記既読状態とは、前記ユーザが既に前記監視データを見たとことを指し、前記未読状態とは、前記ユーザが前記監視データをまだ見ていないことを指すことを特徴とする請求項１３から１５の何れか一項に記載の監視方法。
【発明の詳細な説明】
【技術分野】
【０００１】
本発明は、監視システム及び監視方法に関するものである。
【背景技術】
【０００２】
従来の技術において、監視設備は設置固定されるため、限定された範囲しか監視できない。そのため、広範囲な区域又は多くの場所を監視する際には、多量の監視設備を設置しなければならないためコストが高い。
【発明の概要】
【発明が解決しようとする課題】
【０００３】
本発明の目的は、前記問題を解決し、携帯型電子装置によって監視作業を行うことができる監視システム及び監視方法を提供することである。
【課題を解決するための手段】
【０００４】
上記目的を達成するために、本発明に係る監視システムは電子装置内で実行され、監視現場の監視データを生成する生成モジュールと、第一送信モジュールと、第一受信モジュールと、を備える。前記第一送信モジュールは、サーバに第一指令及び第二指令を送信し、前記サーバに監視データ記憶空間を確立させ且つ前記サーバからユーザＩＤリストを獲得し、前記第一受信モジュールは、前記サーバから転送された前記ユーザＩＤリストを受信し、前記ユーザＩＤリストからユーザＩＤを選択し、前記第一送信モジュールは、前記選択されたユーザＩＤ及び監視データを前記サーバに転送し、前記サーバは選択されたユーザＩＤ及び監視データを前記監視データ記憶空間に記憶させ、前記第一受信モジュールは、前記サーバから転送された既読状態のユーザＩＤを受信する。
【発明の効果】
【０００５】
本発明に係る監視システムは、電子装置が獲得した監視データをサーバに送信し、サーバに送信された監視データを、サーバにログインしたユーザが見ることができるので、携帯型電子装置でも監視設備として監視作業を行うことができる。
【図面の簡単な説明】
【０００６】
【図１】本発明の実施形態に係る監視システムの構成図である。
【図２】本発明の実施形態に係るクライアント監視システムのブロック図である。
【図３】本発明の実施形態に係るサーバ監視システムのブロック図である。
【図４】本発明の実施形態に係るクライアント監視方法のフローチャートである。
【図５】本発明の実施形態に係るサーバ監視方法のフローチャートである。
【発明を実施するための形態】
【０００７】
図１に示したように、本発明の実施形態に係る監視システムは、サーバ１内で実行されるサーバ監視システム１０と、電子装置２内で実行されるクライアント監視システム２０と、を備える。
【０００８】
サーバ１は、ネットワーク３を介して複数の電子装置２（例えば、電子装置Ａ、電子装置Ｂ）に接続される。ネットワーク３は、イントラネット、インターネット、又は他の通信ネットワーク、例えば、ＧＰＲＳ、Ｗｉ−Ｆｉ（登録商標）／ＷＬＡＮ、３Ｇ／ＷＣＤＭＡ（登録商標）、３．５Ｇ／ＨＳＤＰＡなどであってもよい。
【０００９】
電子装置２は、監視データを生成し、監視データをサーバ１に送信する。監視データは、電子装置２が撮影した監視現場の画像やビデオ、監視現場の位置情報、ユーザＩＤ（例えば職員番号又は名前）、時間及び監視現場を説明する情報（例えば、監視現場の状況を説明する情報又は監視現場にいる人の情報）を含む。
【００１０】
さらに電子装置２は、ログインインターフェースを提供する。ユーザは、ログインインターフェースによってユーザのＩＤ及びパスワードを入力すれば、電子装置２をサーバ１に接続させることができる。電子装置２は、サーバ１に接続した後、監視データをサーバ１に送信できる。また、監視データを安全に送信したい場合、電子装置２は、データを暗号化処理することもできる。
【００１１】
電子装置２は、パーソナルコンピュータ、タブレットパソコン、スマートフォン等の電子装置であるが、これらの電子装置に限定されない。本実施形態において、電子装置２は、カメラを備えたスマートフォンである。
【００１２】
サーバ１は、データベースインターフェースを介してデータベース４に接続される。該データベースインターフェースは、ＯＤＢＣ又はＪＤＢＣであってもよい。データベース４は、各電子装置２から送られてきた監視データを記憶するために使用される。データベース４には、ユーザＩＤリストが記憶されており、ユーザＩＤリストには、複数のユーザＩＤが含まれている。サーバ１は、ユーザＩＤリストに基づいて、ユーザＩＤリストに含まれているユーザＩＤにプッシュ通知し、ユーザＩＤのユーザに対して、至急監視データを見ることを促す。プッシュ通知は、サーバ１が電子装置２へ送信する注意通知であり、例えば、ショートメッセージ、メール、ウェブリンクアドレスなどによる通知である。
【００１３】
データベース４には、複数の監視データをそれぞれ記憶する複数の監視データ記憶空間が設けられている。各監視データ記憶空間は、複数のフィールドを備え、例えば、ユーザＩＤフィールド、監視データフィールド及びユーザＩＤの状態情報フィールドなどを備える。ユーザＩＤフィールドには、選択されたユーザＩＤが記憶され、監視データフィールドには、監視データが記憶され、ユーザＩＤの状態情報フィールドには、ユーザＩＤの状態情報が記憶される。ユーザＩＤの状態情報は、既読状態及び未読状態を含む。既読状態とは、ユーザが既に監視データを見たことを指し、未読状態とは、ユーザが監視データをまだ見ていないことを指す。
【００１４】
データベース４は、サーバ１内又はサーバ１外に設置してもよい。本実施形態において、データベース４は、安全性を考慮してサーバ外に設置される。
【００１５】
図２に示したように、電子装置２は、クライアント監視システム２０の他、データ線又は信号線を介して互いに接続された第一記憶装置２４０及び第一プロセッサ２５０を備える。クライアント監視システム２０は、生成モジュール２１０と、第一送信モジュール２２０と、第一受信モジュール２３０と、を備える。生成モジュール２１０と、第一送信モジュール２２０と、第一受信モジュール２３０とのプログラムコードは、第一記憶装置２４０内に記憶され、第一プロセッサ２５０で実行されて、クライアント監視システム２０の上述の機能を実現する。
【００１６】
生成モジュール２１０は、監視現場の監視データを生成する。具体的には、電子装置２が有する撮影装置を介して、画像、ビデオを獲得し、電子装置２により実行される地図アプリケーションを介して監視現場の位置情報を獲得し、入力装置（例えば、電子装置２が備えるキーボード）を介して入力された注釈情報を獲得し、ログインインターフェースを介してユーザＩＤを獲得する。次いで、生成モジュール２１０は、以上の情報をあるアーカイブファイル（例えば、圧縮ファイル）に集合させて、監視データを生成する。
【００１７】
第一送信モジュール２２０は、サーバ１に第一指令を送信する。これにより、サーバ１は監視データ記憶空間を確立する。
【００１８】
さらに、第一送信モジュール２２０は、サーバ１に第二指令を送信する。これにより、電子装置２は、サーバ１からユーザＩＤリストを獲得する。
【００１９】
第一受信モジュール２３０は、サーバ１から送信されたユーザＩＤリストを受信し、ユーザＩＤリストからユーザＩＤを選択する。
【００２０】
第一送信モジュール２２０は、選択されたユーザＩＤ及び監視データをサーバ１に転送する。これにより、サーバ１は、選択されたユーザＩＤ及び監視データを監視データ記憶空間に記憶する。
【００２１】
第一受信モジュール２３０は、サーバ１から転送された既読状態のユーザＩＤを受信する。
【００２２】
図３に示したように、サーバ１は、サーバ監視システム１０の他、データ線又は信号線を介して互いに接続された第二記憶装置１５０及び第二プロセッサ１６０を備える。サーバ監視システム１０は、確立モジュール１１０と、第二受信モジュール１２０と、第二送信モジュール１３０と、更新モジュール１４０と、を備える。確立モジュール１１０と、第二受信モジュール１２０と、第二送信モジュール１３０と、更新モジュール１４０とのプログラムコードは、第二記憶装置１５０内に記憶され、第二プロセッサ１６０で実行されて、サーバ監視システム１０の上述の機能を実現する。
【００２３】
確立モジュール１１０は、データベース４において監視データ記憶空間を確立する。具体的には、サーバ１が電子装置２から監視データ記憶空間を確立する第一指令を受信すると、確立モジュール１１０は監視データ記憶空間を確立する。監視データ記憶空間は、電子装置２を使用するユーザＩＤと関連する。
【００２４】
第二受信モジュール１２０は、電子装置２が送信したユーザＩＤリストを獲得する第二指令を受信し、ユーザＩＤリストを電子装置２に送信する。
【００２５】
さらに、第二受信モジュール１２０は、電子装置２が送信した監視データ及び選択されたユーザＩＤを受信し、監視データ記憶空間に記憶する。具体的には、監視データは監視データ記憶空間の監視データフィールドに、ユーザＩＤは監視データ記憶空間のユーザＩＤフィールドに記憶される。
【００２６】
第二送信モジュール１３０は、選択されたユーザＩＤにプッシュ通知し、監視データを見るように選択されたユーザＩＤのユーザに通知する。
【００２７】
選択されたユーザＩＤが監視データを見ると、更新モジュール１４０は、監視データ記憶空間において選択されたユーザＩＤの状態情報を既読状態に更新する。
【００２８】
さらに第二送信モジュール１３０は、既読状態のユーザＩＤを、監視データを生成する電子装置２に送信する。
【００２９】
図４は、本発明のクライアント監視方法のフローチャートである。
【００３０】
ステップＳ１０において、生成モジュール２１０は、監視現場の監視データを生成する。具体的には、電子装置２が有する撮影装置を介して画像、ビデオを獲得し、電子装置２により実行される地図アプリケーションを介して監視現場の位置情報を獲得し、入力装置（例えば、電子装置２が備えるキーボード）を介して入力された注釈情報を獲得し、ログインインターフェースを介してユーザＩＤを獲得する。次いで、生成モジュール２１０は、以上の情報をあるアーカイブファイル（例えば、圧縮ファイル）に集合させ、監視データを生成する。
【００３１】
ステップＳ１１において、第一送信モジュール２２０は、サーバ１に第一指令を送信し、サーバ１に監視データ記憶空間を確立させる。
【００３２】
ステップＳ１２において、第一送信モジュール２２０は、サーバ１に第二指令を送信し、サーバ１からユーザＩＤリストを獲得する。
【００３３】
ステップＳ１３において、第一受信モジュール２３０は、サーバ１から転送されたユーザＩＤリストを受信し、ユーザＩＤリストからユーザＩＤを選択する。
【００３４】
ステップＳ１４において、第一送信モジュール２２０は、選択されたユーザＩＤ及び監視データをサーバ１に転送し、サーバ１に、選択されたユーザＩＤ及び監視データを監視データ記憶空間に記憶させる。
【００３５】
ステップＳ１５において、第一受信モジュール２３０は、サーバ１から転送された既読状態のユーザＩＤを受信する。
【００３６】
図５は、本発明のクライアント監視方法のフローチャートである。
【００３７】
ステップＳ２０において、確立モジュール１１０は、データベース４で監視データ記憶空間を確立する。監視データ記憶空間とは、データベースにおいて監視データを記憶する記憶空間のことである。具体的には、サーバ１が電子装置２から監視データ記憶空間を確立する第一指令を受信すると、確立モジュール１１０は監視データ記憶空間を確立する。監視データ記憶空間は、電子装置２を使用するユーザＩＤと関連する。
【００３８】
ステップＳ２１において、第二受信モジュール１２０は、電子装置２が送信したユーザＩＤリストを獲得する第二指令を受信し、ユーザＩＤリストを電子装置２に送信する。
【００３９】
ステップＳ２２において、第二受信モジュール１２０は、電子装置２が送信した監視データ及び選択されたユーザＩＤを受信し、監視データ記憶空間に記憶する。具体的には、監視データは監視データ記憶空間の監視データフィールドに、ユーザＩＤは監視データ記憶空間のユーザＩＤフィールドに記憶される。
【００４０】
ステップＳ２３において、第二送信モジュール１３０は、選択されたユーザＩＤにプッシュ通知し、監視データを見るように選択されたユーザＩＤのユーザに通知する。
【００４１】
ステップＳ２４において、選択されたユーザＩＤのユーザが監視データを見ると、更新モジュール１４０は、監視データ記憶空間において選択されたユーザＩＤの状態情報を既読状態に更新させる。
【００４２】
ステップＳ２５において、第二送信モジュール１３０は、既読状態のユーザＩＤを、監視データを生成する電子装置２に送信する。
【符号の説明】
【００４３】
１  サーバ
１０  サーバ監視システム
１１０  確立モジュール
１２０  第二受信モジュール
１３０  第二送信モジュール
１４０  更新モジュール
１５０  第二記憶装置
１６０  第二プロセッサ
２  電子装置
２０  クライアント監視システム
２１０  生成モジュール
２２０  第一送信モジュール
２３０  第一受信モジュール
２４０  第一記憶装置
２５０  第一プロセッサ
３  ネットワーク
４  データベース
【図１】
2014217057.tif 000003
【図２】
2014217057.tif 000004
【図３】
2014217057.tif 000005
【図４】
2014217057.tif 000006
【図５】
2014217057.tif 000007